(57)【特許請求の範囲】
【請求項１】
カードの少なくとも一部を覆うようにコネクタ本体に取付けられる金属シェル（２）と、この金属シェル（２）の側縁に沿って設置されたガイド部（３）に摺動可能に装着されたイジェクトロッド（４）と、金属シェル（２）の内側に重ねて回動可能に設けられたイジェクトレバー（５）とを備え、イジェクトロッド（４）とイジェクトレバー（５）が連結されて、イジェクトロッド（４）の摺動を介してイジェクトレバー（５）が回動するように構成されたカード用コネクタのイジェクト機構において、
前記イジェクトロッド（４）が、金属板から打ち抜き成形された短冊板状に形成されていると共に、前記ガイド部（３）が、イジェクトロッド（４）の内面と対向する内側壁（９）とイジェクトロッド（４）の外面と対向する外側壁（１０ａ）、（１０ｂ）、（１０ｃ）が短冊状のイジェクトロッド（４）の厚さに略等しい間隔で対向させた形状とされて、ガイド部（３）の外側壁（１０ａ）、（１０ｂ）、（１０ｃ）側に設けた弾性片（１４）を介して短冊板状に形成されたイジェクトロッド（４）がガイド部（３）の内側壁（９）側に付勢され、而も、イジェクトレバー（５）とイジェクトロッド（４）は、イジェクトレバー（５）の一端に形成した断面Ｕ字状の連結部（２２）で、イジェクトロッド（４）とガイド部（３）の内側壁（９）を挟むようにして連結されていることを特徴とするカード用コネクタのイジェクト機構。
【発明の詳細な説明】
【０００１】
【発明の属する技術分野】
この発明は、デジタルカメラで用いられるコンパクトフラッシュカード（ＣＦカード）などのカードを接続するコネクタのイジェクト機構に関する。
【０００２】
【従来の技術】
従来、この種のイジェクト機構は、コネクタに対して挿抜されるカードの少なくとも一部を覆うようにコネクタ本体に取付けられる金属シェルと、この金属シェルの側縁に沿って設置されたガイド部に摺動可能に装着されたイジェクトロッドと、金属シェルの内側に重ねて回動可能に設けられたイジェクトレバーとを備え、イジェクトロッドとイジェクトレバーが連結されて、イジェクトロッドの摺動を介してイジェクトレバーが回動するように構成されている。イジェクトレバーの一端には、カードの一側と係合できるようにした係合突片が形成され、イジェクトレバーの回動によって、コネクタに接続されたカードが係合突片を介して抜去の方向に付勢されるものである。
【０００３】
【発明が解決しようとする課題】
前記のように構成されている従来のイジェクト機構において、イジェクトロッドは、通常、プラスチックスのモールド品が使用されていた。この為、イジェクトロッドとして必要な強度を得る為にイジェクトロッド自体が比較的太いものとなると共に、イジェクトロッドのモールド精度を考慮して、前記ガイド部には比較的大きなクリアランスを確保している。この結果、ガイド部の幅方向の寸法も大きくなり、イジェクト機構付のコネクタとしての全幅も大きくなって、電子機器の小型高密度化を妨げる問題点があった。更に、イジェクトロッドとガイド部に比較的大きなクリアランスを確保する為に、イジェクトロッドのガタが大きく、イジェクトロッドの操作の際には、大きなガタが原因となって、金属シェルに対して変形を誘引するような力がかかり易いという問題点もあった。
【０００４】
この発明は斯かる問題点に鑑みてなされたもので、ガイド部の幅を狭くできるようにしたカード用コネクタのイジェクト機構を提供することを第一の目的としている。また、イジェクトロッドのガイド部におけるガタがほとんど無いようにしたカード用コネクタのイジェクト機構を提供することを第二の目的としている。
【０００５】
【課題を解決するための手段】
前記の目的のもとになされたこの発明は、イジェクト機構を構成するイジェクトロッドを金属板を打ち抜いて成形した短冊板状のものとし、これをガイド部に摺動可能に装着した構成を備えている。
【０００６】
即ちこの発明は、カードの少なくとも一部を覆うようにコネクタ本体に取付けられる金属シェルと、この金属シェルの側縁に沿って設置されたガイド部に摺動可能に装着されたイジェクトロッドと、金属シェルの内側に重ねて回動可能に設けられたイジェクトレバーとを備え、イジェクトロッドとイジェクトレバーが連結されて、イジェクトロッドの摺動を介してイジェクトレバーが回動するように構成されたカード用コネクタのイジェクト機構において、前記イジェクトロッドが、金属板から打ち抜き成形された短冊板状に形成されていると共に、前記ガイド部が、イジェクトロッドの内面と対向する内側壁とイジェクトロッドの外面と対向する外側壁が短冊状のイジェクトロッドの厚さに略等しい間隔で対向させた形状とされて、ガイド部の外側壁側に設けた弾性片を介して短冊板状に形成されたイジェクトロッドがガイド部の内側壁側に付勢されていることを特徴とするカード用コネクタのイジェクト機構である。
【０００７】
そして前記イジェクト機構のイジェクトレバーとイジェクトロッドは、イジェクトレバーの一端に形成した断面Ｕ字状の連結部で、イジェクトロッドとガイド部の内側壁を挟むようにして連結されているカード用コネクタのイジェクト機構である。
【０００８】
このように構成されているこの発明のイジェクト機構によれば、イジェクトロッドを金属板を打ち抜いて成形した短冊板状としたので、イジェクトロッド自体を薄くすることができる。また、イジェクトロッドの製造上の寸法精度のばらつきも少ない。従って、ガイド部は小さいクリアランスで構成でき、しかも、薄いイジェクトロッドに対応して幅狭に構成することができる。この為、コネクタとしての全幅も狭くすることが可能である。
【０００９】
そして、イジェクトロッドは、ガイド部の外側壁側に設けた弾性片で内側壁側に付勢されているので、イジェクトロッドは前記内側壁に常時密着した状態にでき、イジェクトロッドのガタをほとんど無いようにすることもできる。イジェクトレバーの一端に形成した断面Ｕ字状の連結部でイジェクトロッドとガイド部の内側壁を挟むようにすると、弾性片の付勢と共同して、イジェクトロッドと内側壁の一体性を更に強化することができ、ガタの抑制を一層確実にすることができる。
【００１０】
【発明の実施の形態】
以下、この発明の実施形態を添付の図を参照して説明する。
【００１１】
図１は、図２乃至図５に示した実施形態のカード用コネクタのイジェクト機構（以下、単に「イジェクト機構」とも言う。）１の要部を分解して示している。このイジェクト機構１は、金属シェル２と、この金属シェル２の一側に設置されたガイド部３に摺動可能に装着された短冊板状のイジェクトロッド４と、金属シェル２の内側に重ねて回動可能に設けられたイジェクトレバー５とを備えている。
【００１２】
金属シェル２は、カード用コネクタを構成するコネクタ本体（図示せず）の幅に略対応させた本体部２ａの前端部（図２において下端）をコネクタ本体に被せるようにして、前端部両側に形成した連結片６などを介して取付けられるようになっている。カード（図示せず）のコネクタ本体に対する挿抜は、金属シェル２の後端縁（図２において上端）側から行われるもので、金属シェル２の本体部２ａはカードの少なくとも一部を覆うようになっている。
【００１３】
金属シェル２の本体部２ａの前端縁に沿って、イジェクトレバー５に係合する溝７が屈曲成形されており、また、前端部中央には、イジェクトレバー５を回動可能に係合する為の係合突片８が打ち抜き成形されている。後に説明するイジェクトレバー５は、この溝７と係合突片８に係合するようにして、金属シェル２の本体部２ａの内側に重ねた状態で設置される。
【００１４】
金属シェル２の本体部２ａの一側縁（図２において右側縁）に沿って前記ガイド部３が連設してある。このガイド部３は図１、６、７に表れているように、内側壁９と外側壁１０ａ、１０ｂ、１０ｃを短冊板状とした前記イジェクトロッド４の厚さに略等しい間隔で対向させた構成を備えている。内側壁９は金属シェル２の本体部２ａの側縁から連続して垂下させたものである。外側壁１０ａ、１０ｂは、本体部２ａから外向きに突出させた突片１１ａ、１１ｂの先端から垂下させたものである。また、外側壁１０ｃは、前記内側壁９の下端に連続させた底壁１２の一側から立設したものである。
【００１５】
前記のようなガイド部３には、更に、底壁１２の他側から立ち上げた支持片１３の上端に、ガイド部３の方向で片持状に連続させた弾性片１４が設けてある。また、前記内側壁９の略中央レベルに沿って、前端方向に開放した連結用溝１５が形成してある。弾性片１４は、図６に表れているように、先端側をガイド部３の内側に向かってやや傾斜させてある。
【００１６】
イジェクトロッド４は、図８乃至図１０に示したように、金属板から打ち抜いた短冊板状の形状をしており、一端（図８において上端）に、ボタン連結部１６がＬ字状に連続成形されている。短冊板状部４ａの厚さに対応して、前記ガイド部３の内側壁９と外側壁１０ａ、１０ｂ、１０ｃの対向間隔が定められている。短冊板状部４ａの中央外面には、長手方向に沿って、ビード１７ａ、１７ｂ、１７ｃが断続して成形してあり、更に、先端側のビード１７ａに隣接して短冊板状部４ａの内外面に貫通する連結用溝１８が形成してある。前記ボタン連結部１６は、図２及び図５に表れているように、屈曲自在の樹脂製ボタン１９が取付けられる。
【００１７】
次ぎに、イジェクトレバー５は、図１１及び図１２に示したような独特の形状をしている。このイジェクトレバー５も金属板を打ち抜き成形したものである。中央部一側縁には、前記金属シェル２の本体部２ａに形成した係合突片８と係合できるように膨出部２０が形成されている。膨出部２０を金属シェル２の係合突片８に係合させると共に、膨出部２０と反対の側縁を金属シェル２の溝７に係合させて、イジェクトレバー５が金属シェル２の本体部２ａの内側に重ねられ、しかも、本体部２ａと平行な面内で係合突片８と膨出部２０の係合部を中心として回動できるようにされる。このイジェクトレバー５の回動の範囲は、図５の実線と点線で示した範囲である。
【００１８】
イジェクトレバー５の一方の端部には、コネクタ本体に挿抜されるカードと係合可能とした係合突片２１が形成されている。更に、他方の端部には、断面Ｕ字状の連結部２２が形成されている。断面Ｕ字状の連結部２２は、図１に最も良く表れているように、外側の短壁２２ａと内側の長壁２２ｂが底壁２２ｃを介して略Ｕ字形に対向させて構成されている。短壁２２ａと長壁２２ｂの間隔の狭い方が前記ガイド部３の内側壁９とイジェクトロッド４の短冊板状部４ａの厚さを合計した距離と略等しくしてある。また、短壁２２ａの高さは、前記内側壁９に形成した連結用溝１５及び短冊板状部４ａに形成した連結用溝１８の幅より低くしてあり、組立に際してこれらの連結用溝１５、１８を通して短冊板状部４ａの外面側に位置させて、短冊板状部４ａの外面に係合できるようにしてある。
【００１９】
図１に示したように、前記のガイド部３に対して、イジェクトロッド４の短冊板状部４ａを矢示２３のように挿入すると共に、イジェクトレバー５の連結部２２を矢示２４のようにガイド部３とイジェクトロッド４の短冊板状部４ａに組み付けてこのイジェクト機構１が組み立てられている。イジェクトロッド４の短冊板状部４ａの内面がガイド部３の内側壁９と対向し、外面が外側壁１０ａ、１０ｂ、１０ｃに対向することになる。
【００２０】
イジェクトロッド４を金属板を打ち抜いて短冊板状に形成した為に、イジェクトロッド４自体を薄くできると共に、製造上の寸法精度のばらつきを少なくすることができる。この結果、ガイド部３は、薄い短冊板状部４ａに対応して幅狭に構成できるばかりでなく、短冊板状部４ａに対して大きなクリアランスを確保することなく構成することができるものである。
【００２１】
この結果、コネクタ本体の横方向に張り出すイジェクト機構１のイジェクトロッド４及びガイド部３の部分を幅狭にすることが可能で、イジェクト機構１付きのコネクタ全体の幅方向の寸法を可及的に狭くすることができる。
【００２２】
ガイド部３に組み付けられたイジェクトロッド４は、ガイド部３の外側に設けた弾性片１４で常時、内側壁９側に付勢される。従って、短冊板状部４ａは内側壁９に、常時密着した状態に維持されて、イジェクトロッド４のガタツキを防止することができる。この為、イジェクトロッド４は常時、内側壁に沿って摺動することになり、摺動の際に加えられる力が全て、イジェクトレバー５に的確に伝達され、金属シェル２に対して、その変形を招くような力が伝達されることを防止できる。
【００２３】
イジェクトロッド４に対して弾性片１４を外面側に対向するように設けて内側壁９側に付勢するようにしたので、内側壁９側に弾性片１４を設けてイジェクトロッド４を外側壁１０ａ、１０ｂ、１０ｃ側に付勢するのに比べて、ガイド部３を幅狭にすることができる。更に、イジェクトロッド４の短冊板状部４ａに形成したビード１７ａ、１７ｂ、１７ｃは外面側としたので、短冊板状部４ａの厚さ方向の寸法増加を外側壁１０ａ、１０ｂ、１０ｃの設置位置によって逃げることが可能で、ガイド部３の幅方向の寸法増加を避けることができる。
【００２４】
前記ビード１７ａ、１７ｂ、１７ｃは、短冊板状部４ａの剛性を強化することは言うまでもない。ビード１７ａ、１７ｂ、１７ｃを断続させて設けたことによって、イジェクトロッド４の摺動操作に際して、操作者にクリック感を与えることができる。弾性片１４とビード１７ａ、１７ｂ、１７ｃの位置関係が図１３に示してある。ビード１７ａとビード１７ｂの間の平端部２５ａと、ビード１７ｂとビード１７ｃの間の平端部２５ｂの距離を、図５の実線と点線で示したイジェクトレバー５の回動に必要なイジェクトロッド４のストローク距離としてある。図１３において、イジェクトロッド４を矢示２６の方向に摺動させて、平端部２５ｂに弾性片１４の先端部が落ち込んでクリック感が得られると、イジェクトレバー５は図５の点線の位置に回動している。
【００２５】
イジェクトロッド４の上記のような摺動動作において、イジェクトレバー５の連結部２２とガイド部３の内側壁９及び短冊板状部４ａの位置関係が図１４、１５のように変化する。これらの図から判るように、内側壁９と短冊板状部４ａは、連結部２２の短壁２２ａと長壁２２ｂで常時挟まれた状態に置かれる。この結果、弾性片１４による内側壁９側への付勢と共同して、短冊板状部４ａと内側壁９の一体化が、短冊板状部４ａの長手方向で二つの箇所で図られることになり、短冊板状部４ａ、即ちイジェクトロッド４のガタツキを確実に無くすることができる。
【００２６】
【発明の効果】
以上に説明の通り、この発明によれば、イジェクトロッドを金属板から打ち抜いた短冊板状のものとし、このイジェクトロッドをガイド部の外側壁側に設けた弾性片で内側壁側に付勢した構成であるので、ガイド部の幅方向の寸法を可及的に小さくすることができると共に、ガイド部におけるイジェクトロッドのガタを少なくすることができる。この結果、イジェクト機構としても幅狭に構成することができ、カード用コネクタの小型化を可能とし、電子機器の小型高密度に寄与することができる。また、イジェクトロッドのガタが少ないので、イジェクトロッドに加えられる力をイジェクトレバーに的確に伝達することができ、円滑な操作が可能であると共に、金属シェルの変形を招くような不都合をなくすることができる。
【００２７】
そして、イジェクトレバーの連結部によってもイジェクトレバーとガイド部の内側壁の一体化が図られる構成であるので、イジェクトロッドのガタの低減とイジェクトレバーへの的確な力の伝達を一層確実にすることができる。
【図面の簡単な説明】
【図１】  この発明の実施形態の要部を説明する分解斜視図である。
【図２】  実施形態の平面図である。
【図３】  同じく正面図である。
【図４】  同じく側面図である。
【図５】  同じく底面図である。
【図６】  実施形態のガイド部を拡大して示した平面図である。
【図７】  同じくガイド部を拡大して示した側面図である。
【図８】  実施形態のイジェクトロッドの平面図である。
【図９】  同じくイジェクトロッドの正面図である。
【図１０】  同じくイジェクトロッドの側面図である。
【図１１】  実施形態のイジェクトレバーの平面図である。
【図１２】  同じくイジェクトレバーの正面図である。
【図１３】  実施形態のイジェクトロッドと弾性片の位置関係を説明する図である。
【図１４】  実施形態のイジェクトレバーの連結部と、イジェクトロッド及びガイド部の内側壁の位置関係を説明する図である。
【図１５】  同じくイジェクトレバーの連結部と、イジェクトロッド及びガイド部の内側壁の位置関係を説明する別の図である。
【符号の説明】
１          イジェクト機構
２          金属シェル
３          ガイド部
４          イジェクトロッド
５          イジェクトレバー
９          ガイド部の内側壁
１０ａ、１０ｂ、１０ｃ        ガイド部の外側壁
１４        弾性片
１７ａ、１７ｂ、１７ｃ        ビード
２２        連結部
【図１】
0004120061.tif 000002
【図２】
0004120061.tif 000003
【図３】
0004120061.tif 000004
【図４】
0004120061.tif 000005
【図５】
0004120061.tif 000006
【図６】
0004120061.tif 000007
【図７】
0004120061.tif 000008
【図８】
0004120061.tif 000009
【図９】
0004120061.tif 000010
【図１０】
0004120061.tif 000011
【図１１】
0004120061.tif 000012
【図１２】
0004120061.tif 000013
【図１３】
0004120061.tif 000014
【図１４】
0004120061.tif 000015
【図１５】
0004120061.tif 000016